(57)【要約】【課題】現在の屈折値や視力等を入力するだけで簡単に視力の回復をシミュレートできるようにする。【解決手段】通信部１１が、クライアントからデータを受信する。すると、検索部１２が、テーブル記憶部１３に記憶された屈折値用テーブルを参照し、入力された屈折値と年齢の組み合わせに対応するシミュレーション結果であるグラフを特定する。或いは、裸眼視力用テーブルを参照し、入力された裸眼視力と年齢と使用歴の組み合わせに対応するシミュレーション結果であるグラフを特定する。そして、グラフ記憶部１４からその特定されたグラフを読み出し、その読み出したグラフを通信部１１に渡す。すると、通信部１１が、そのグラフをクライアントに送信する。【選択図】図５
2008067834.tif 000002
【特許請求の範囲】
【請求項１】
複数の段階に分けて段階ごとに異なるデザインのコンタクトレンズを装着することによる視力の回復をシミュレートするシミュレーション装置であって、
屈折値と、年齢と、視力の回復に必要な段階数及び各段階における回復度を表すグラフとを対応付けて記憶する記憶手段と、
シミュレーションの対象者の現時点での屈折値と年齢とを端末装置から受信する受信手段と、
前記受信手段により受信された屈折値と年齢の組み合わせに対応する前記グラフを、前記記憶手段から検索する検索手段と、
前記検索手段により検索された前記グラフを、前記端末装置に送信する送信手段と
を備えたことを特徴とするシミュレーション装置。
【請求項２】
複数の段階に分けて段階ごとに異なるデザインのコンタクトレンズを装着することによる視力の回復をシミュレートするシミュレーション装置であって、
裸眼視力と、年齢と、視力の矯正を図ってきた年数と、視力の回復に必要な段階数及び各段階における回復度を表すグラフとを対応付けて記憶する記憶手段と、
シミュレーションの対象者の現時点での裸眼視力と年齢と視力の矯正を図ってきた年数とを端末装置から受信する受信手段と、
前記受信手段により受信された裸眼視力と年齢と年数の組み合わせに対応する前記グラフを、前記記憶手段から検索する検索手段と、
前記検索手段により検索された前記グラフを前記端末装置に送信する送信手段と
を備えたことを特徴とするシミュレーション装置。
【請求項３】
複数の段階に分けて段階ごとに異なるデザインのコンタクトレンズを装着することによる視力の回復をシミュレートするためのプログラムであって、コンピュータに、
屈折値と、年齢と、視力の回復に必要な段階数及び各段階における回復度を表すグラフとの対応情報を所定の記憶装置から読み込む機能と、
シミュレーションの対象者の現時点での屈折値と年齢とを受け付ける機能と、
読み込んだ前記対応情報を参照して、受け付けた屈折値と年齢の組み合わせに対応する前記グラフを検索する機能と、
検索された前記グラフを出力する機能と
を実現するためのプログラム。
【請求項４】
複数の段階に分けて段階ごとに異なるデザインのコンタクトレンズを装着することによる視力の回復をシミュレートするためのプログラムであって、コンピュータに、
裸眼視力と、年齢と、視力の矯正を図ってきた年数と、視力の回復に必要な段階数及び各段階における回復度を表すグラフとの対応情報を所定の記憶装置から読み込む機能と、
シミュレーションの対象者の現時点での裸眼視力と年齢と視力の矯正を図ってきた年数とを受け付ける機能と、
読み込んだ前記対応情報を参照して、受け付けた裸眼視力と年齢と年数の組み合わせに対応する前記グラフを検索する機能と、
検索された前記グラフを出力する機能と
を実現させるためのプログラム。
【発明の詳細な説明】
【技術分野】
【０００１】
本発明は、複数の段階に分けて段階ごとに異なるデザインのコンタクトレンズを装着することによる視力の回復をシミュレートするシミュレーション装置等に関する。
【背景技術】
【０００２】
近年、近視治療法の１つとしてオルソケラトロジーが着目されている。オルソケラトロジーとは、手術することなくコンタクトレンズで角膜を矯正し、角膜に眼鏡やコンタクトレンズと同じ凹レンズの役割を持たせる治療法のことである。オルソケラトロジーによれば、各人の角膜形状に合わせて精密にデザインされた専用コンタクトレンズを夜間装用することで角膜の形を矯正し、レンズを外した後も十分な裸眼視力を維持できるようになる。
【０００３】
ところで、オルソケラトロジーは、元来、米国で開発された技術であるため、欧米人に顕著な成果は得られるものの、東洋人にはあまり効果がなかった。そこで、本発明者は、東洋人、特に日本人の角膜形状等を鋭意研究し、東洋人、特に日本人に効果的なカーブを有する近視及び/又は乱視矯正用コンタクトレンズを提案した(例えば、特許文献１参照)。
【０００４】
また、日本においては、米国で開発されたオルソケラトロジー(以下、「従来型オルソケラトロジー」という)の治療範囲をはるかに超える強度の近視や乱視が多く見られることから、本発明者は、上記のようなカーブを有するコンタクトレンズを用いて、低視力にも十分な効果をもたらす画期的治療法(以下、「新オルソケラトロジー」という)を開発した。レンズデザインを段階的に変えていくことで、０．０１の強度近視であっても徐々に矯正され、最終的には１．５程度まで裸眼視力の改善が見込まれるという治療法である。
【０００５】
尚、新オルソケラトロジーでは、従来型オルソケラトロジーに比べ、より繊細で精密なレベルのレンズデザインを採用している。その結果、従来型オルソケラトロジーでは治療できなかった強度近視や強度乱視のみならず、レーザー手術が適さない円錐角膜、レーザー手術後に出現した再近視化や角膜移植後の不整乱視等、あらゆる角膜形状に対応可能となった。また、この精度の高い技術は、近視治療として開発された従来型オルソケラトロジーの壁を越え、強度の遠視に対しても充分な治療効果をあげており、老眼へのアプローチも実践されている。
【０００６】
【特許文献１】特開２００３−１４４４７９号公報
【発明の開示】
【発明が解決しようとする課題】
【０００７】
このように、レンズデザインを段階的に変えていく治療法により、近視、乱視、遠視等を改善することが可能となっている。
しかしながら、現状では、このような治療法を受けたいと思っても、実際に自分の角膜形状に合わせてデザインされたコンタクトレンズを装着してみないと、視力がどの程度回復するかは知り得ない。例えば、レンズデザインを何回変えてどの程度の期間でどの程度の改善が見込まれるかは分からなかった。
尚、特許文献１の技術は、実際の治療に用いるコンタクトレンズを提案したものであり、視力の回復のシミュレーション方法を提案するものではない。
【０００８】
本発明は、以上のような技術的課題を解決するためになされたものであって、その目的は、現在の屈折値や視力等を入力するだけで簡単に視力の回復をシミュレートできるようにすることにある。
【課題を解決するための手段】
【０００９】
本発明の第１のシミュレーション装置は、複数の段階に分けて段階ごとに異なるデザインのコンタクトレンズを装着することによる視力の回復をシミュレートするシミュレーション装置であって、屈折値と、年齢と、視力の回復に必要な段階数及び各段階における回復度を表すグラフとを対応付けて記憶する記憶手段と、シミュレーションの対象者の現時点での屈折値と年齢とを端末装置から受信する受信手段と、この受信手段により受信された屈折値と年齢の組み合わせに対応するグラフを、記憶手段から検索する検索手段と、この検索手段により検索されたグラフを、端末装置に送信する送信手段とを備えている。
【００１０】
本発明の第２のシミュレーション装置は、複数の段階に分けて段階ごとに異なるデザインのコンタクトレンズを装着することによる視力の回復をシミュレートするシミュレーション装置であって、裸眼視力と、年齢と、視力の矯正を図ってきた年数と、視力の回復に必要な段階数及び各段階における回復度を表すグラフとを対応付けて記憶する記憶手段と、シミュレーションの対象者の現時点での裸眼視力と年齢と視力の矯正を図ってきた年数とを端末装置から受信する受信手段と、この受信手段により受信された裸眼視力と年齢と年数の組み合わせに対応するグラフを、記憶手段から検索する検索手段と、この検索手段により検索されたグラフを端末装置に送信する送信手段とを備えている。
【００１１】
本発明の第１のプログラムは、複数の段階に分けて段階ごとに異なるデザインのコンタクトレンズを装着することによる視力の回復をシミュレートするためのプログラムであって、コンピュータに、屈折値と、年齢と、視力の回復に必要な段階数及び各段階における回復度を表すグラフとの対応情報を所定の記憶装置から読み込む機能と、シミュレーションの対象者の現時点での屈折値と年齢とを受け付ける機能と、読み込んだ対応情報を参照して、受け付けた屈折値と年齢の組み合わせに対応するグラフを検索する機能と、検索されたグラフを出力する機能とを実現させるためのものである。
【００１２】
本発明の第２のプログラムは、複数の段階に分けて段階ごとに異なるデザインのコンタクトレンズを装着することによる視力の回復をシミュレートするためのプログラムであって、コンピュータに、裸眼視力と、年齢と、視力の矯正を図ってきた年数と、視力の回復に必要な段階数及び各段階における回復度を表すグラフとの対応情報を所定の記憶装置から読み込む機能と、シミュレーションの対象者の現時点での裸眼視力と年齢と視力の矯正を図ってきた年数とを受け付ける機能と、読み込んだ対応情報を参照して、受け付けた裸眼視力と年齢と年数の組み合わせに対応するグラフを検索する機能と、検索されたグラフを出力する機能とを実現させるためのものである。
【発明の効果】
【００１３】
本発明によれば、現在の屈折値や視力等を入力するだけで簡単に視力の回復をシミュレートできるようになる。
【発明を実施するための最良の形態】
【００１４】
以下、添付図面を参照して、本発明を実施するための最良の形態(以下、「実施の形態」という)について詳細に説明する。
図１は、本実施の形態におけるコンピュータシステムの一例を示した図である。このシステムは、サーバコンピュータ(以下、「サーバ」という)１０と、クライアントコンピュータ(以下、「クライアント」という)２０−１、２０−２、…、２０−ｎとが、ネットワーク３０を介して接続されることにより構成されている。
【００１５】
サーバ１０は、パーソナルコンピュータやワークステーション、その他のコンピュータにて実現され、クライアント２０−１、２０−２、…、２０−ｎに表示するページのデータを記憶する。ここで、ページには、本実施の形態のシミュレーションを行う際に、データを入力するためのページや、シミュレーションの結果を表示するページがある。尚、各ページのデータは、例えばＨＴＭＬ(HyperText Markup Language)で記述されている。
クライアント２０は、例えばパーソナルコンピュータであり、上記データを解釈して対応するページを表示するためのブラウザを有する。尚、以下の説明では、クライアント２０−１、２０−２、…、２０−ｎの中から１台を代表させて、クライアント２０というものとする。
ネットワーク３０は、例えばインターネットである。
【００１６】
ここで、本実施の形態におけるサーバ１０として用いるのに好適なコンピュータのハードウェア構成について説明する。
図２は、このようなコンピュータのハードウェア構成の一例を示した図である。
図示するように、コンピュータは、演算手段であるＣＰＵ(Central Processing Unit)１０ａと、Ｍ/Ｂ(マザーボード)チップセット１０ｂを介してＣＰＵ１０ａに接続されたメインメモリ１０ｃと、同じくＭ/Ｂチップセット１０ｂを介してＣＰＵ１０ａに接続された表示機構１０ｄとを備える。また、Ｍ/Ｂチップセット１０ｂには、ブリッジ回路１０ｅを介して、ネットワークインターフェイス１０ｆと、磁気ディスク装置(ＨＤＤ)１０ｇと、音声機構１０ｈと、キーボード/マウス１０ｉと、フレキシブルディスクドライブ１０ｊとが接続されている。
【００１７】
尚、図２において、各構成要素は、バスを介して接続される。例えば、ＣＰＵ１０ａとＭ/Ｂチップセット１０ｂの間や、Ｍ/Ｂチップセット１０ｂとメインメモリ１０ｃの間は、ＣＰＵバスを介して接続される。また、Ｍ/Ｂチップセット１０ｂと表示機構１０ｄとの間は、ＡＧＰ(Accelerated Graphics Port)を介して接続されてもよいが、表示機構１０ｄがＰＣＩ Ｅｘｐｒｅｓｓ対応のビデオカードを含む場合、Ｍ/Ｂチップセット１０ｂとこのビデオカードの間は、ＰＣＩ Ｅｘｐｒｅｓｓ(ＰＣＩｅ)バスを介して接続される。また、ブリッジ回路１０ｅと接続する場合、ネットワークインターフェイス１０ｆについては、例えば、ＰＣＩ Ｅｘｐｒｅｓｓを用いることができる。また、磁気ディスク装置１０ｇについては、例えば、シリアルＡＴＡ(AT Attachment)、パラレル転送のＡＴＡ、ＰＣＩ(Peripheral Components Interconnect)を用いることができる。更に、キーボード/マウス１０ｉ、及び、フレキシブルディスクドライブ１０ｊについては、ＵＳＢ(Universal Serial Bus)を用いることができる。
【００１８】
本実施の形態では、このようなハードウェア構成を有するサーバ１０が、ネットワーク３０を介して、クライアント２０に対し、まず、データを入力するためのページ(以下、「入力用ページ」という)を送信する。そして、クライアント２０では、ブラウザの機能により、この入力用ページが表示される。
図３に、この入力用ページの一例を示す。
この入力用ページには、「屈折値がわかる場合」と、「屈折値がわからない場合」という２つのフォームが設けられている。そして、ユーザは、この２つのフォームのいずれかからデータを入力し、「診断する」ボタンを押下することで、シミュレーションを指示することができる。ここで、屈折値とは、角膜の屈折力を表す値である。この屈折値は、医学的には良好な判断材料となる値であり、屈折値と年齢とを入力することで信頼度の高いシミュレーション結果を得ることができる。しかしながら、一般のユーザはこの値を知らないことも多い。そこで、「屈折値がわからない場合」のフォームにおいて、裸眼視力を入力することでシミュレーションを行えるようにしている。但し、この場合、裸眼視力と年齢だけでは、シミュレーション結果の信頼度が若干低くなってしまうので、後述するように、眼鏡やコンタクトレンズの使用歴も入力するようにして信頼度の高いシミュレーション結果を得ることができるようにしている。
【００１９】
まず、「屈折値がわかる場合」のフォームについて、具体的に説明する。
このフォームには、右目の屈折値の入力欄と、左目の屈折値の入力欄とが表示される。尚、図示しないが、屈折値については、これを一定の幅で区切ることにより選択肢を用意しておき、各入力欄の右側のボタンを押下すると、この選択肢が表示されるようになっている。例えば、「０〜−０．９Ｄ」、「−１Ｄ〜−１．９Ｄ」、「−２Ｄ〜−２．９Ｄ」等の選択肢が表示される。
また、このフォームには、年齢の入力欄も表示される。現在の屈折値が同じであっても年齢によって視力の回復度は異なるからである。尚、図示しないが、年齢についても、これを一定の幅で区切ることにより選択肢を用意しておき、入力欄の右側のボタンを押下すると、この選択肢が表示されるようになっている。例えば、「５〜１５歳」、「１６〜２０歳」、「２１〜３０歳」等の選択肢が表示される。
そして、フォームの右側には、シミュレーションを指示するための「診断する」ボタンが表示されている。
【００２０】
次に、「屈折値がわからない場合」のフォームについて、具体的に説明する。
このフォームには、右目の裸眼視力の入力欄と、左目の裸眼視力の入力欄とが表示される。
また、このフォームには、年齢の入力欄も表示される。現在の裸眼視力が同じであっても年齢によって視力の回復度は異なるからである。尚、図示しないが、年齢については、これを一定の幅で区切ることにより選択肢を用意しておき、入力欄の右側のボタンを押下すると、この選択肢が表示されるようになっている。例えば、「５〜１５歳」、「１６〜２０歳」、「２１〜３０歳」等の選択肢が表示される。
更に、このフォームには、現在までに視力の矯正を図ってきた期間である眼鏡やコンタクトレンズの使用歴(以下、単に「使用歴」という)の入力欄も表示される。現在の裸眼視力が同じであっても使用歴によって視力の回復度は異なるからである。尚、図示しないが、使用歴についても、これを一定の幅で区切ることにより選択肢を用意しておき、入力欄の右側のボタンを押下すると、この選択肢が表示されるようになっている。例えば、「経験なし又は１年未満」、「１〜５年」、「５〜１０年」等の選択肢が表示される。
そして、フォームの右側には、シミュレーションを指示するための「診断する」ボタンが表示されている。
【００２１】
このように、屈折値が分かる場合、屈折値が分からない場合のいずれにおいても、適宜データを入力又は選択して「診断ボタン」を押下することにより、シミュレーション結果を出力するためのページ(以下、「出力用ページ」という)が表示されるようになっている。
図４に、この出力用ページの一例を示す。
この出力用ページには、視力の回復度が１つのグラフによって表されている。これは、右目の視力と左目の視力とが同様の経過を辿って回復していくと見込まれるからであり、右目の視力と左目の視力とが異なる経過を辿って回復していくと見込まれる場合は、右目と左目の視力の回復度をそれぞれ表す２つのグラフが表示されることとなる。
また、このグラフにおいては、視力の回復に４段階が必要なことが分かる。この例の場合、最初、視力は０．０２と０．０６の間にある。これが、第１段階の終了時には、０．１と０．２の間にまで回復している。また、第２段階の終了時には、０．５と０．８の間にまで回復している。更に、第３段階の終了時には、１．０と１．２の間にまで回復している。更にまた、第４段階の終了時には、１．２と２．０の間にまで回復している。
【００２２】
次に、図３の入力用ページから入力されたデータを処理して図４の出力用ページを生成するサーバ１０について詳細に説明する。
図５は、サーバ１０の機能構成を示したブロック図である。
図示するように、サーバ１０は、通信部１１と、検索部１２と、テーブル記憶部１３と、グラフ記憶部１４とを備えている。
通信部１１は、クライアント２０との間でデータの送受信を行う。
検索部１２は、通信部１１が受信したデータに基づいてシミュレーション結果であるグラフを検索し、そのグラフを通信部１１に返す。
テーブル記憶部１３は、シミュレーション結果であるグラフを特定するためのテーブルを記憶する。
グラフ記憶部１４は、シミュレーション結果であるグラフを記憶する。
【００２３】
ここで、テーブル記憶部１３に記憶されるテーブルの内容について具体的に説明する。
図６は、テーブル記憶部１３に記憶されるテーブルの例を示した図である。
このうち、図６(ａ)は、図３で「屈折値がわかる場合」のフォームからデータが入力された場合に参照されるテーブル(以下、「屈折値用テーブル」という)を示す。
この屈折値用テーブルでは、縦軸に屈折値が設定され、横軸に年齢が設定されている。そして、図では空欄にしてあるが、ある屈折値とある年齢の交わるセルには、その屈折値と年齢の組み合わせが入力された場合における視力の回復度を表すグラフを特定するための情報が設定される。
【００２４】
尚、このテーブルは、屈折値と年齢の組み合わせに基づいてグラフを特定するための情報の一例であって、これには限らない。例えば、テーブルの各軸には、屈折値、年齢を一定の幅を持つものとして設定したが、屈折値、年齢を幅を持たない値として設定するようにしてもよい。この場合は、任意の屈折値と年齢の入力に対して、適宜補間を行うことによりシミュレーション結果であるグラフを特定することができる。
【００２５】
一方、図６(ｂ)は、図３で「屈折値がわからない場合」のフォームからデータが入力された場合に参照されるテーブル(以下、「裸眼視力用テーブル」という)を示している。
この裸眼視力用テーブルでは、縦軸に視力(裸眼視力)が設定され、横軸に使用歴が設定されている。また、この裸眼視力用テーブルは、図に複数の階層を示したように、縦軸を視力とし横軸を使用歴とするテーブルが、年齢ごとに用意されている。例えば、５〜１５歳に対する裸眼視力用テーブル、１６〜２０歳に対する裸眼視力用テーブル、２１〜３０歳に対する裸眼視力用テーブル等である。そして、図では空欄にしてあるが、ある年齢に対する裸眼視力用テーブルにおいて、ある視力とある使用歴の交わるセルには、その年齢とその視力とその使用歴の組み合わせが入力された場合における視力の回復度を表すグラフを特定するための情報が設定される。
【００２６】
尚、このテーブルも、年齢と視力と使用歴の組み合わせに基づいてグラフを特定するための情報の一例であって、これには限らない。例えば、テーブルは一定の幅を持つ年齢ごとに設けるのではなく、幅を持たない年齢に対して設けるようにしてもよい。また、テーブルの横軸には、使用歴を一定の幅を持つものとして設定したが、使用歴を幅を持たない値として設定するようにしてもよい。この場合は、任意の年齢と視力と使用歴と入力に対して、適宜補間を行うことによりシミュレーション結果であるグラフを特定することができる。
【００２７】
また、グラフ記憶部１４に記憶されるグラフの例について具体的に説明する。
図７−１〜７−２は、グラフ記憶部１４に記憶されるグラフの例を示した図である。
図７−１(ａ)は、２段階に分けてデザインの異なるコンタクトレンズを装着することにより視力の回復が見込まれるというシミュレーション結果を表すグラフである。
図７−１(ｂ)は、３段階に分けてデザインの異なるコンタクトレンズを装着することにより視力の回復が見込まれるというシミュレーション結果を表すグラフである。
図７−２(ｃ)は、４段階に分けてデザインの異なるコンタクトレンズを装着することにより視力の回復が見込まれるというシミュレーション結果を表すグラフである。
図７−２(ｄ)は、５段階に分けてデザインの異なるコンタクトレンズを装着することにより視力の回復が見込まれるというシミュレーション結果を表すグラフである。
例えば、図７−１(ａ)、図７−１(ｂ)、図７−２(ｃ)、図７−２(ｄ)のグラフを順に、グラフＡ、グラフＢ、グラフＣ、グラフＤとすると、図６(ａ),(ｂ)の各セルにグラフＡ、グラフＢ、グラフＣ、グラフＤのいずれかを特定する情報を設定することで、グラフが特定されるようになる。
尚、ここでは、グラフとして４種類を用意したが、グラフの種類はこれに限られるものではない。
【００２８】
次に、サーバ１０の動作について説明する。
図８は、サーバ１０の動作を示したフローチャートである。
サーバ１０では、まず、通信部１１が、クライアント２０からデータを受信する(ステップ１０１)。そして、「屈折値がわかる場合」のフォームからの入力か、「屈折値がわからない場合」のフォームからの入力かを判定する(ステップ１０２)。この判定は、例えば、有効なデータが格納されている項目の名称が、いずれのフォームに属するものであるかを調べることにより可能である。
【００２９】
ここで、「屈折値がわかる場合」のフォームからの入力の場合、つまり、屈折値が入力された場合、通信部１１は、この屈折値と、同時に入力された年齢とを検索部１２に渡す。すると、検索部１２は、テーブル記憶部１３に記憶された屈折値用テーブルを参照する(ステップ１０３)。そして、入力された屈折値と年齢の組み合わせに対応するグラフを特定する(ステップ１０４)。
一方、「屈折値がわからない場合」のフォームからの入力の場合、つまり、裸眼視力が入力された場合、通信部１１は、この裸眼視力と、同時に入力された年齢及び使用歴とを検索部１２に渡す。すると、検索部１２は、テーブル記憶部１３に記憶された裸眼視力用テーブルのうち、入力された年齢に対応する裸眼視力用テーブルを参照する(ステップ１０５)。そして、入力された裸眼視力と使用歴の組み合わせに対応するグラフを特定する(ステップ１０６)。
【００３０】
その後、検索部１２は、特定したグラフをグラフ記憶部１４から読み出し、通信部１１に渡す(ステップ１０７)。
そして、通信部１１が、読み出したグラフをクライアント２０に送信する(ステップ１０８)。
【００３１】
尚、本実施の形態において、「屈折値がわかる場合」のフォームから入力できるのは、屈折値と年齢だけで、使用歴は入力できないようになっていた。しかしながら、使用歴を入力するようにしてもよい。この場合は、「屈折値がわからない場合」のフォームからデータが入力された場合と同様の処理を行うことにより、シミュレーションを行うことができる。即ち、例えば、図６(ａ)の屈折値用テーブルを使用歴ごとに用意し、屈折値と年齢と使用歴とからグラフを特定するようにすればよい。
【００３２】
このように、本実施の形態では、現在の屈折値と年齢の組み合わせに対応付けられたグラフをシミュレーション結果として提供するようにした。或いは、現在の視力と年齢と使用歴の組み合わせに対応付けられたグラフをシミュレーション結果として提供するようにした。こうすることにより、簡単に視力の回復をシミュレートできるようになった。
【図面の簡単な説明】
【００３３】
【図１】本発明の実施の形態が適用されるコンピュータシステムの全体構成を示したブロック図である。
【図２】本発明の実施の形態が適用されるサーバのハードウェア構成を示した図である。
【図３】本発明の実施の形態における入力用ページの例を示した図である。
【図４】本発明の実施の形態における出力用ページの例を示した図である。
【図５】本発明の実施の形態におけるサーバの機能構成を示したブロック図である。
【図６】本発明の実施の形態で参照されるテーブルの例を示した図である。
【図７−１】本発明の実施の形態で検索されるグラフの例を示した図である。
【図７−２】本発明の実施の形態で検索されるグラフの例を示した図である。
【図８】本発明の実施の形態におけるサーバの動作を示したフローチャートである。
【符号の説明】
【００３４】
１０…サーバ、２０…クライアント、３０…ネットワーク
【図１】
2008067834.tif 000003
【図２】
2008067834.tif 000004
【図３】
2008067834.tif 000005
【図４】
2008067834.tif 000006
【図５】
2008067834.tif 000007
【図６】
2008067834.tif 000008
【図７−１】
2008067834.tif 000009
【図７−２】
2008067834.tif 000010
【図８】
2008067834.tif 000011